(57)【特許請求の範囲】
【請求項１】
除湿機本体の内部に、圧縮機、凝縮器、蒸発器、前記蒸発器から滴下した水を受ける水受皿および排水タンクを有し、水受皿内にドレン口を設け、前記排水タンクの出し入れと連動するレバーにドレン口と対向する球状の突起を設け、前記排水タンクが出された時にドレン口を閉止する弾力性を有する栓をドレン口と球状の突起の間に配置し除湿機。
【請求項２】
レバーの先端に設けた球状の突起部の半径を、ドレン口開放部の内径の１／２以下になるように形成したレバーを有する請求項１記載の除湿機。
【発明の詳細な説明】
【０００１】
【産業上の利用分野】
本発明は冷凍装置を用いた除湿装置に関するものである。
【０００２】
【従来の技術】
従来、この種の除湿機について図面と共に説明する。
【０００３】
図７において、除湿機本体１は吸入グリル２と外箱３と吹出しグリル４で構成され、内部には冷凍サイクルを構成する圧縮機６、凝縮器７、絞り装置８、蒸発器９と送風機１０およびファン１１を具備している。そして蒸発器９より生成された除湿水は水受皿１２に設けられた円筒形のドレン口１３より滴下して、排水タンク１４に溜まるようになっている。１６は栓１５を介してドレン口１３を閉止するレバーで、バネ１７がレバー１６に取り付けた栓１５をドレン口１３に押し付けるようになっている（特開平６−３４１５８号公報）。
【０００４】
図８は、排水タンク１４が本体１にセットされている時のレバー１６の動作図である。
【０００５】
図９は、排水タンク１４を本体１から抜き取った時のレバー１６の動作図であり、図１０は従来の除湿機におけるレバーの斜視図である。
【０００６】
【発明が解決しようとする課題】
しかしながら上記のような構成では、蒸発器９より生成された除湿水が水受皿１２、垂直方向に設けられた円筒形のドレン口１３より滴下して、排水タンク１４に溜まる。この排水タンク１４に溜まった除湿水を排出する際排水タンク１４を本体１から抜き取ることにより、栓１５を取り付けたレバー１６がドレン口１３を下から閉止するようになっており、ドレン口１３が垂直方向に設けられている場合は上記レバー１６のような構造でも、蒸発器９や水受皿１２に付着していた除湿水が基板５に滴下することはない。しかし、ドレン口１３が水平方向に設けられている場合には、栓１５を取り付けたレバー１６がドレン口１３の後方より閉止するようになり、ドレン口１３とレバー１６に取り付けられた栓１５との間から除湿水が漏れ出し基板５に滴下し、さらに除湿機本体１を設置している床も濡らしてしまうという課題を有していた。
【０００７】
本発明は上記従来例の課題を解決するもので、簡易な装置により除湿水で床面を濡らさないことを目的としたものである。
【０００８】
【課題を解決するための手段】
上記課題を解決するために本発明は、除湿器本体の内部に、圧縮機、凝縮器、蒸発器、前記蒸発器から滴下した水を受ける水受皿および排水タンクを有し、水受皿内にドレン口を設け、前記排水タンクの出し入れと連動するレバーにドレン口と対向する球状の突起を設け、前記排水タンクが出された時にドレン口を閉止する弾力性を有した栓をドレン口と球状の突起の間に配置したものである。また、レバーの先端に設けた球状の突起部の半径を、ドレン口開放部の内径の１／２以下になるように形成したレバーを有したものである。
【０００９】
【作用】
上記手段による作用は、以下のとおりである。
【００１０】
本発明は、除湿機本体の内部に、圧縮機、凝縮器、蒸発器、前記蒸発器から滴下した水を受ける水受皿および排水タンクを有し、水受皿内にドレン口を設け、前記排水タンクの出し入れと連動するレバーにドレン口と対向する球状の突起を設け、前記排水タンクが出された時にドレン口を閉止する弾力性を有した栓をドレン口と球状の突起の間に配置したことにより、排水タンクが本体にセットされていない時蒸発器や水受皿に付着している除湿水の滴下が防げ、よって床面を濡らすことが防止できる。また、レバーの先端に設けた球状の突起部の半径を、ドレン口開放部の内径の１／２以下になるように形成したレバーを有したことにより、ドレン口に押しあてられる栓の内面圧を増すことができ、ドレン口と栓の密着度が向上し除湿水の滴下を防ぐことができる。
【００１１】
【実施例】
以下本発明の一実施例における除湿機について図面と共に説明する。
【００１２】
図１において、ここではドレン口が水平方向にあり、後方に栓を設けた場合における実施例で説明する。除湿機本体１は吸入グリル２と外箱３、吹出しグリル４で構成され、内部には冷凍サイクルを構成する圧縮機６、凝縮器７、絞り装置８、蒸発器９と送風機１０およびファン１１を具備している。そして蒸発器９より生成された除湿水は水受皿１２に設けられた水平方向に延び円筒形で形成するドレン口１３より滴下して、排水タンク１４に溜まるようになっている。１６は栓１５を介してドレン口１３を閉止するレバーで、レバー１６の先端に球状の突起１８が設けられ、球状の突起１８部の半径がドレン口開放部の内径の１／２以下になるように形成している。また、バネ１７がレバー１６に取り付けた栓１５をドレン口１３に押しつけるようになっている。
【００１３】
上記構成において、排水タンクが本体にセットされていない時蒸発器や水受皿に付着している除湿水の滴下を防ぐことができる。
【００１４】
従って、床面を濡らすことが防止できる。
図２は、排水タンク１４が本体１にセットされている時のレバー１６の動作図である。
【００１５】
図３は、排水タンク１４を本体１から抜き取った時のレバー１６の動作図である。
【００１６】
図４はレバー１６の斜視図である。また、図５はドレン口１３とレバー１６の寸法関係図である。
【００１７】
図６において、球状の突起１８はレバー１６に設けられ、栓１５は背面を突起１８部に押されるような位置でレバー１６に取り付けられ、また、前記栓１５はドレン口１３とレバー１６の間に設けられている。ドレン口１３閉止時は、突起１８が栓１５の背面を押し、ドレン口１３と栓１５の接触により滴下を防いでいる。
【００１８】
【発明の効果】
本発明は上記説明から明らかなように、除湿機本体の内部に、圧縮機、凝縮器、蒸発器、前記蒸発器から滴下した水を受ける水受皿および排水タンクを有し、水受皿内にドレン口を設け、前記排水タンクの出し入れと連動するレバーにドレン口と対向する球状の突起を設け、前記排水タンクが出された時にドレン口を閉止する弾力性を有した栓をドレン口と球状の突起の間に配置したことにより、排水タンクが本体にセットされていいない時蒸発器や水受皿に付着している除湿水の滴下を防ぐことができる。また、レバーの先端に設けた球状の突起部の半径を、ドレン口開放部の内径の１／２以下になるように形成したレバーを設けたことにより、ドレン口に押しあてられる栓の内面圧を増すことができ、ドレン口と栓の密着度が向上し除湿水の滴下を防ぐことができる。従って、球状の突起をレバーに設けたことにより床面を濡らすことを防ぐことができる。
【図面の簡単な説明】
【図１】本発明の一実施例における除湿機の概略側面図
【図２】本発明の一実施例における除湿機で排水タンクが本体にセットされている時のレバー動作図
【図３】本発明の一実施例における除湿機で排水タンクを抜き取った時のレバー動作図
【図４】本発明の一実施例における除湿機のレバー斜視図
【図５】本発明の一実施例における除湿機のドレン口とレバーの寸法関係図
【図６】本発明の一実施例における除湿機のドレン口閉止時の位置図
【図７】従来例を示す除湿機の概略側面図
【図８】従来例を示す除湿機で排水タンクが本体にセットされている時のレバー動作図
【図９】従来例を示す除湿機で排水タンクを抜き取った時のレバー動作図
【図１０】従来例を示す除湿機のレバー斜視図
【符号の説明】
５  基板
９  蒸発器
１２  水受皿
１３  ドレン口
１４  排水タンク
１５  栓
１６  レバー
１７  バネ
１８  突起
【図１】
0003629771.tif 000002
【図２】
0003629771.tif 000003
【図３】
0003629771.tif 000004
【図４】
0003629771.tif 000005
【図５】
0003629771.tif 000006
【図６】
0003629771.tif 000007
【図７】
0003629771.tif 000008
【図８】
0003629771.tif 000009
【図９】
0003629771.tif 000010
【図１０】
0003629771.tif 000011